(57)【特許請求の範囲】
【請求項１】
脂肪酸石鹸と天然海綿粉末を含有し、天然海綿粉末の含有量が５〜４０重量％であることを特徴とする固形石鹸組成物。
【請求項２】
天然海綿粉末の粒径が１０メッシュ以下である、請求項１記載の固型石鹸組成物。
【発明の詳細な説明】
【０００１】
【発明の属する技術分野】
本発明は、固型石鹸の新規な組成物に関し、より詳しくは、溶け減りや長期間の使用によるふやけが少なく、身体等の洗浄時にタオルの使用を必要としない、固型石鹸の新規な組成物に関するものである。
【０００２】
【従来の技術】
従来より、固型石鹸には、使用時の表面摩擦により、表面が必要以上に溶解して溶け減りが大きく、比較的短期間で消失してしまうという問題や、また、長期間使用していると、表面がふやけて柔らかくなってしまい、固型石鹸がある程度小さくなった頃には、使用時の表面摩擦により形が崩れる等、最後までしっかりと無駄なく使用することができないという問題があり、非経済的であった。
【０００３】
最後まで完全に使用できる固型石鹸として、特開昭５０−９８９０６号公報に、石鹸を充填した海綿状物体を芯材とすることが提案されている。この固型石鹸では、芯材の周りは石鹸成分のみで構成されているので、溶け減りの問題は殆ど解消されない。
【０００４】
また、身体等を洗浄する場合には、一般に、固型石鹸で泡立てたタオルを擦って使用するが、タオルなしで固型石鹸のままで身体を擦って使用しても、泡立ちが良好でかつタオルのようなスクラブ感が得られると簡便であり、また旅行用等の携帯型の固型石鹸としても便利である。
【０００５】
【発明が解決しようとする課題】
本発明は上記の課題を解決しようとするものであり、その目的は、溶け減りや長期間の使用によるふやけが少なく、身体等の洗浄時にタオルの使用を必要としない、固型石鹸に適した新規な組成物を提供することにある。
【０００６】
【課題を解決するための手段】
上記課題に対し、鋭意検討した結果、脂肪酸石鹸に、天然海綿粉末を配合した組成の固形石鹸とすることにより、溶け減りや長期間の使用によるふやけが抑えられ、かつ身体等の洗浄にタオルなしでそのままで使用しても、泡立ちがよくかつタオルのようなスクラブ感が得られることを見出し、発明を完成するに至った。
【０００７】
即ち、本発明は以下の通りである。
(1) 脂肪酸石鹸と天然海綿粉末を含有し、天然海綿粉末の含有量が５〜４０重量％であることを特徴とする、固型石鹸組成物。
(2) 天然海綿粉末の粒径が１０メッシュ以下である、上記(1) 記載の固型石鹸組成物。
【０００８】
【発明の実施の形態】
本発明の固型石鹸組成物は、脂肪酸石鹸および天然海綿粉末を含有する。本発明で使用される脂肪酸石鹸において、その脂肪酸は、炭素原子数が好ましくは１２〜１８の飽和または不飽和の脂肪酸であり、直鎖状でも分岐状であってもよい。当該炭素数が１１以下であると、固型石鹸の皮膚刺激性が大きくなり、逆に、当該炭素数が１９以上であると、固型石鹸が硬すぎて整型性が劣るので、好ましくない。
【０００９】
炭素数１２〜１８の脂肪酸の具体例としては、例えば、ラウリン酸、ミリスチン酸、パルミチン酸、ステアリン酸、イソステアリン酸、オレイン酸、パルミトレイン酸、リノール酸、リシノール酸等が挙げられる。これらは単独で使用しても２つ以上併用してもよい。
【００１０】
脂肪酸石鹸としては、脂肪酸の、ナトリウム塩、カリウム塩、エタノールアミン塩等が挙げられ、これらは単独で使用しても２つ以上併用してもよい。
【００１１】
本発明においては、脂肪酸石鹸の含有量は、組成物中、１０〜６０重量％、特に１５〜２５重量％が好ましい。当該含有量が１０重量％未満であると、石鹸組成物の固化性が劣り、逆に、６０重量％を超えると、後述する天然海綿粉末の含有量が少なくなって、当該粉末による効果が得られにくくなるので、好ましくない。
【００１２】
本発明の固型石鹸組成物は、上記脂肪酸石鹸と共に、天然海綿粉末を含有する。これにより、固型石鹸の溶け減りや長期間の使用による表面のふやけが抑えられる。また、身体等の洗浄にタオルなしでそのままで擦って使用しても、泡立ちがよくかつタオルのようなスクラブ感が得られ、なおかつ、天然海綿由来のアミノ酸により洗浄後にしっとり感も得られる。
【００１３】
本発明においては、天然海綿粉末の含有量は、組成物中、１〜５０重量％、特に５〜４０重量％が好ましい。当該含有量が、１重量％未満であると、天然海綿粉末を含有させることによる上記効果が発揮されにくく、逆に、５０重量％を超えると、脂肪酸石鹸の含有量が少なくなることから、泡立ちが劣るおそれがあり、好ましくない。本発明においては、１０メッシュ以下の天然海綿粉末を使用することが好ましい。天然海綿粉末の粒径が１０メッシュを超えると、天然海綿粉末の分散性が劣って、天然海綿粉末を含有させることによる上記効果が発揮されにくくなる。
【００１４】
本発明の固型石鹸組成物は、脂肪酸石鹸、天然海綿粉末以外に、固型石鹸の均一性を有効に得るために、グリセリン、ポリグリセリン（ジグリセリン、トリグリセリン、テトラグリセリン、ヘキサグリセリン等）、プロピレングリコール、ソルビトール、エチレングリコール、１，３−ブチレングリコール等の多価アルコールを含有してもよい。上記の多価アルコールの含有量は、組成物中、５〜３０重量％が好ましい。当該含有量が３０重量％を超えると、石鹸組成物の固化性が劣るので好ましくない。
【００１５】
また、本発明の固型石鹸組成物は、本発明の目的を逸脱しない範囲で、公知成分をさらに含有してもよい。公知成分としては、例えば、アニオン界面活性剤、カチオン界面活性剤、両性界面活性剤、非イオン界面活性剤の界面活性剤；殺菌剤；保湿剤（ピロリドンカルボン酸、ピロリドンカルボン酸ナトリウム、ヒアルロン酸、ポリオキシエチレンアルキルグルコシドエーテル等）；油分；香料；色素；キレート剤；紫外線吸収剤；酸化防止剤；生薬等の天然抽出物（レシチン、サポニン、アロエ、オオバク、カミツレ等）；非イオン、カチオンもしくはアニオン性の水溶性高分子；乳酸エステル等の使用性向上剤；ポリオキシエチレンアルキル硫酸エステル塩等の起泡性向上剤等が挙げられる。
【００１６】
固型石鹸の製造には通常の方法が採用される。即ち、脂肪酸石鹸および天然海綿粉末、並びに多価アルコール等のその他の成分を混合し、通常の枠練り法により石鹸膠を得て、これを用いて、通常の成形工程、熟成工程（必要に応じて）、整型工程を行なうことにより、固型石鹸が得られる。なお、製造工程中に、脂肪酸から脂肪酸石鹸を調製する場合には、上記の石鹸膠を得る工程中で行われる。
【００１７】
【実施例】
以下、本発明を実施例を挙げてより詳細に説明するが、本発明はこれらの実施例に限定されるものではない。
【００１８】
実施例１〜７および比較例１
各成分を表１に示す割合で使用して次の方法により石鹸溶液を調製した。各脂肪酸、グリセリン、プロピレングリコールおよびエデト酸３ナトリウム２水和物を混合して６０℃で溶解した後、液体苛性ソーダおよびイオン交換水の一部を添加して中和した。その後、これに、砂糖、ヤシ油脂肪酸アミドプロピルジメチルアミノ酢酸ベタイン液（３０％水溶液）、ポリオキシエチレン（６０）硬化ヒマシ油および残りのイオン交換水を加えて７０℃で１時間攪拌して、均一な石鹸溶液を調製した。この石鹸溶液に、天然海綿粉末（１０メッシュ以下）を表２に示す量で配合し、直径７２ｍｍの丸型の冷却パイプに流し込み、冷却・固化した。固化後、パイプより取り出し、所定の重量に切断し、所定の金型で整型して、サンプルとした。
【００１９】
【表１】
0003693949.tif 000002
【００２０】
【表２】
0003693949.tif 000003
【００２１】
このようにして得られたサンプルについて、以下の方法により、分散性、摩擦溶解度、溶出率、スクラブ感、泡立ち、溶けくずれおよびしっとり感について評価した。その結果を表２に示す。
【００２２】
＜評価方法＞
１．分散性
分散性は、目視観察により次の基準で判断した。天然海綿粉末の分散が均一であるとき○、天然海綿粉末の分散がほぼ均一であるとき△、天然海綿粉末の分散が不均一であるとき×とした。
【００２３】
２．摩擦溶解度
摩擦溶解度は、ＪＩＳ  Ｋ  ３３０４に従って測定した。
【００２４】
３．溶出率
溶出率は、予め重量を測定したサンプルを針金の先端に取り付け、これを２０℃の水中に漬浸し、１時間後に取り出してその重量を測定し、その測定値から次式より算出した。
溶出率（％）＝１００×（Ｗ1−Ｗ2）／Ｗ1
（Ｗ1：漬浸前のサンプル重量（ｇ）、Ｗ2：漬浸後のサンプル重量（ｇ））。
【００２５】
４．スクラブ感
スクラブ感は、パネラー２０名が、サンプルを水に濡らして直接身体を洗浄し、次の基準で判断した。程良いスクラブ感が感じられ、タオルを使用する必要がないと思われるとき○、さほどスクラブ感は感じられないが、タオルを使用する必要がないと思われるとき△、スクラブ感が全く感じられないとき×とした。
【００２６】
５．泡立ち
泡立ちは、パネラー２０名が、サンプルを水に濡らして直接身体を洗浄し、次の基準で判断した。泡立ちが非常に良いとき○、泡立ちがよい△、泡立ちが悪いとき×とした。
【００２７】
６．溶けくずれ
溶けくずれは次の方法により評価した。サンプルの表面を２８〜３２℃の温水で軽く濡らし、これを両手で泡立てた。次いで、生じたサンプル表面の泡を水で軽く洗い落とし、さらに軽く２〜３回水切りを行なった後、図１に示すトレイ１内に収容した。この操作を毎週５日間、朝夕１日２回繰り返し、合計４０日間に亘り試験した。
【００２８】
トレイ１は、図１に示すように、受器２と密閉蓋７とからなり、受器２の底部には薄く貯留水３が張ってある。受器２に対しては、その周縁部で支持される状態で、受け皿４が設けられている。この受け皿４の底部には、透孔５と突起６が形成されている。サンプルＡは受け皿４面に載設され、密閉蓋７で密閉された状態でトレイ１内に収容される。この収容状態において、透孔５と突起６とによってサンプルＡから水吐けが行なわれると共に、透孔５を介して貯留水３からの水蒸気によりサンプルＡが加湿されるようになっている。
【００２９】
サンプルを収容したトレイ１を、温度３０℃、湿度７０％ＲＨの環境条件が維持されるように換気扇等でコントロールした室内で合計４０日間に亘り保管した。なお、室内温度が１０℃以下、あるいは湿度が５０％ＲＨ以下となった場合は、室内の浴槽に温湯または常温水を貯留して、室内の環境条件をコントロールした。この保管開始から４０日経過後に、目視観察により、サンプルＡの表面のふやけ状態から次の基準で判断した。サンプル表面が全くふやけず、最後まで使い切ることができたとき○、サンプル表面がややふやけているが、ほぼ最後まで使い切ることができたとき△、サンプル表面がふやけ、使用途中で溶けてしまったとき×とした。
【００３０】
７．しっとり感
しっとり感は、パネラー２０名が、サンプルを水に濡らして直接身体を洗浄し、次の基準で判断した。洗浄後にしっとり感があるとき○、洗浄後にややしっとり感があるとき△、洗浄後につっぱり感があるとき×とした。
【００３１】
表２より、天然海綿粉末を所定量含有する実施例１〜７のサンプルは、天然海綿粉末の分散性が良好であった。また、摩擦溶解度および溶出率が小さく、溶け減りが少ないものであり、また、長期間使用しても石鹸表面にふやけがなく最後までしっかりと使い切ることができた。さらに、身体の洗浄にそのままで使用しても泡立ちが良好でかつスクラブ感があり、洗浄後にしっとり感もあった。このような効果は、天然海綿粉末の含有量が５〜４０重量％である実施例２〜６で特に顕著であった。
【００３２】
これに対し、天然海綿粉末を含有しない比較例１のサンプルは、摩擦溶解度および溶出率が大きく、溶け減りが大きいものであった。また、長期間使用すると石鹸表面にふやけが生じて最後まで使い切ることができなかった。さらに、身体の洗浄にそのままで使用すると泡立ちが悪くかつスクラブ感がなく、洗浄後につっぱり感もあった。
【００３３】
【発明の効果】
以上の説明で明らかなように、本発明の固型石鹸組成物では、脂肪酸石鹸に天然海綿粉末を配合しているので、固型石鹸の溶け減りが少なく使用寿命が長くなる。また、長期間の使用でも表面のふやけが少なく最後までしっかりと無駄なく使い切ることができるので、固型石鹸の使用効率が良好となる。さらに、固型石鹸を身体等の洗浄にそのままで擦って使用しても、泡立ちがよくかつタオルのようなスクラブ感が得られるので、タオルでわざわざ泡立てる必要がなく、それ単独の使用で十分で簡便であり、また旅行用等の携帯型の固型石鹸としても非常に便利である。加えて、天然海綿由来のアミノ酸により洗浄後にしっとり感も得られ、肌に優しい固型石鹸となる。
【図面の簡単な説明】
【図１】密閉保管テストに使用したトレイの縦断正面図である。
【符号の説明】
１  トレイ
２  受器
３  貯留水
４  受け皿
５  透孔
６  突起
７  密閉蓋
Ａ  サンプル
【図１】
0003693949.tif 000004